(57)【要約】 【課題】本体ケーシング内の洗浄時、洗い流されたゴミが本体ケーシング内に残留するのを抑止できる空調用室内機を提供する。【解決手段】左右の側板とこれら左右側板上に配置される天板と左右側板の背面側に配置される背板と左右側板の前面側に配置される前板と左右側板の下面側に配置される底板とからなる本体ケーシングが備えられ、この本体ケーシング内には、熱交換器が背板と前板との間において背板から前板に向かうに従って斜め上方に傾斜して配置された空調用室内機において、背板と熱交換器の下端部との間に、ゴミが通過可能な隙間と、この隙間を開閉可能とする仕切り部材とを設けて、本体ケーシング内の洗浄時、仕切り部材を介して隙間を開放して、洗い流されるゴミを本体ケーシング内における熱交換器の上流側に流下させるようにした。【選択図】図１
2011106715.tif 000002
【特許請求の範囲】
【請求項１】
左右の側板とこれら左右側板上に配置される天板と前記左右側板の背面側に配置される背板と前記左右側板の前面側に配置される前板と前記左右側板の下面側に配置される底板とからなる本体ケーシングが備えられ、この本体ケーシング内には、熱交換器が前記背板と前記前板との間において前記背板から前記前板に向かうに従って斜め上方に傾斜して配置された空調用室内機において、前記背板と背熱交換器の下端部との間には、ゴミが通過可能な隙間と、この隙間を開閉可能とする仕切り部材とが設けられていることを特徴とする空調用室内機。
【請求項２】
ゴミの捕捉部が前記仕切り部材に備えられていることを特徴とする請求項１に記載の空調用室内機。
【発明の詳細な説明】
【技術分野】
【０００１】
本発明は、被空調室内の冷房や暖房を行なうための空調用室内機に係り、詳しくは、本体ケーシング内の清掃時にゴミを確実に除去することのできる空調用室内機に関する。
【背景技術】
【０００２】
一般にこの種の空調用室内機は、左右の側板と左右の側板上に配置される天板と左右の側板の背面側に配置される背板と左右の側板の前面側に配置される前板とからなる直方  体状の本体ケーシングが備えられ、この本体ケーシング内には、熱交換器が上下方向に対して斜めに配備されるとともに、本体ケーシング内における天板の下面側には、送風ファンおよびこの送風ファンを囲むファンケーシングと送風ファンの駆動装置によって構成された送風部が設けられている。（特許文献１参照）
【０００３】
ところで以上の空調用室内機は、被空調室内の設置条件によっては衛生面で常に清潔にしておかなければならないなどの理由から、本体ケーシング内の熱交換器などの部品を定期的に洗浄することが望まれる場合がある。
そのため従来の空調用室内機では、本体ケーシング内における熱交換器よりも上流側の空間をケーシング外に開口させるために、開口パネルが本体ケーシングの前板部分に設けられ、本体ケーシング内の部品を洗浄する際、前記した開口パネルを外して、本体ケーシング内の熱交換器等に水をかけることで、熱交換器等の洗浄を行なうようにしている。
【０００４】
しかしながら前記した従来の空調用室内機では、前述したように熱交換器よりも上流側の空間から水をかけて熱交換器等を洗浄する場合、熱交換器等に付着していたゴミが、洗浄水とともに熱交換器の下流側の空間に流れて、背板とこの背板に接する熱交換器の下端との間のコーナー部位に蓄積する不具合があり、従って本体ケーシング内を清潔に保つのが困難である。
また本体ケーシングの前板を取り外して、本体ケーシング内における熱交換器の下流側の空間から前記空調用室内機の機内を洗浄する場合においても、熱交換器等に付着していたゴミが、洗浄水とともに熱交換器を伝って洗い流されて、背板とこの背板に接する熱交換器の下端との間のコーナー部位に蓄積する不具合があるため、本体ケーシング内を清潔に保つことが出来ない。
【先行技術文献】
【特許文献】
【０００５】
【特許文献１】特開２００６−１０１７８号
【発明の概要】
【発明が解決しようとする課題】
【０００６】
本発明は、以上の実情に鑑みて開発したものであって、目的とするところは、本体ケーシング内の洗浄時、洗い流されたゴミが本体ケーシング内に残留するのを抑止できる空調用室内機を提供することにある。
【課題を解決するための手段】
【０００７】
以上の目的を達成するために、請求項１に記載の発明は、左右の側板とこれら左右側板上に配置される天板と前記左右側板の背面側に配置される背板と左右側板の前面側に配置される前板と左右側板の下面側に配置される底板とからなる本体ケーシングが備えられ、この本体ケーシング内には、熱交換器が背板と前板との間において背板から前板に向かうに従って斜め上方に傾斜して配置された空調用室内機において、背板と熱交換器の下端部との間には、ゴミが通過可能な隙間と、この隙間を開閉可能とする仕切り部材とが設けられていることを特徴とする。
【発明の効果】
【０００８】
請求項１に記載の発明によれば、空調用室内機の本体ケーシング内を洗浄するに際して、仕切り部材を介して背板と熱交換器の下端部との間に設けた隙間を開放した上で洗浄を行なうことにより、洗い流されたゴミは背板と熱交換器に挟まれた空間に蓄積されることなく熱交換器の上流側の空間へと洗い流すことができるので、空調用室内機の本体ケーシング内は清潔に保たれるという効果が得られる。
【図面の簡単な説明】
【０００９】
【図１】本発明にかかる実施の形態１の空調用室内機を示す概略断面図である。
【図２】本発明の実施の形態１の空調用室内機を示す透過正面図である。
【図３】本発明の実施の形態１の空調用室内機おいて、上側の開口パネルと中央の開口パネルと仕切り部材を外した空調用室内機を示す断面図である。
【図４】本発明にかかる実施の形態１の空調用室内機の要部を拡大して示す斜視図である。
【図５】図４の図から仕切り部材を取り外した斜視図である。
【図６】本発明にかかる実施の形態２の空調用室内機を示す概略断面図である。
【図７】本発明にかかる実施の形態２の空調用室内機の要部を拡大して示す斜視図である。
【図８】図7の図から仕切り部材を取り外した斜視図である。
【図９】本発明にかかる実施の形態３の空調用室内機を示す概略断面図である
【図１０】本発明にかかる実施の形態３の空調用室内機の要部を拡大して示す斜視図である。
【図１１】図１０の図から仕切り部材をスライドさせて隙間Ｓを開けた状態を示す斜視図である。
【図１２】本発明にかかる実施の形態４の空調用室内機の要部を拡大して示す斜視図である。
【図１３】本発明の実施の形態４における分割仕切り部材の斜視図である。
【図１４】本発明にかかる実施の形態５の空調用室内機の要部を拡大して示す斜視図である。
【図１５】本発明にかかる実施の形態５の空調用室内機に用いられる仕切り部材の斜視図である。
【図１６】図１５に示す仕切り部材を構成する分割仕切り部材の斜視図である。
【図１７】本発明の実施の形態６の空調用室内機を示す透過正面図である。
【図１８】本発明にかかる実施の形態５の空調用室内機に用いられる仕切り部材の  一部を切り欠いて示す斜視図である。
【図１９】図１8に示す仕切り部材を構成する捕捉部の斜視図である。
【発明を実施するための形態】
【００１０】
以下、本発明にかかる空調用室内機の一実施形態を説明する。
実施の形態１．
実施の形態１に示す空調用室内機１は、左右の側板２ａ，２ｂと、これら左右側板２ａ，２ｂ上に配置される天板３と、左右側板２ａ，２ｂの背面側に配置される背板４と、左右側板２ａ，２ｂの前面側に配置される前板５と、左右側板２ａ，２ｂの下面側に配置される底板６とから構成された直方体状の本体ケーシング１０が備えられている。
前板５は、複数枚の開口パネル５ａ，５ｂ，５ｃと、開口パネル５ａ，５ｂ間に介装される区画パネル５ｄとから構成され、開口パネル５ａ，５ｂ，５ｃは、本体ケーシング１０から取り外し可能となっている。
【００１１】
本体ケーシング１０内における背板４と前板５との間には、熱交換器７が配備されており、この熱交換器７は、図１に示すように、背板４から前板５に向かうに従って斜め上方に傾斜するように配置されている。
本体ケーシング１０内における熱交換器７の下流側には、図２にも示すように、熱交換器７の上流側から下流側に向かって空気の流れを形成する送風ファン８と、送風ファン８を囲むファンケーシング９と、送風ファン８を回転駆動する駆動機１１と、駆動機１１の駆動力を送風ファン８に伝達する伝達機構１２が設けられている。
また本体ケーシング１０内における熱交換器7の上流側には、結露水や洗浄水を回収するドレンパン１３が設けられている。
【００１２】
そして以上の構成からなる空調用室内機１において、背板４と熱交換器７の下端部との間には、少なくともゴミが通過可能な隙間Ｓと、この隙間Ｓを開閉可能とする板状の仕切り部材１５とが設けられている。
具体的には、隙間Ｓは、本体ケーシング１０内における背板４と熱交換器７の下端部との間において、一方の側板２ａの内側面から他方の側板２ｂの内側面にわたって設けられている。
また熱交換器７の下端面には、この下端面に沿う支持板１６が組み付けられ、この支持板１６の長さ方向両端部とドレンパン１３の間には、熱交換器７を支えるための棒状の支え部材１７が架設されるとともに、支持板１６の長さ方向両端部には、背板４の内側面まで延びる固定片１８が一体に設けられ、この固定片１８にはネジ部材１９が螺着されている。
そして前記した仕切り部材１５の長さ方向両端部が、図4にも示すように、ネジ部材１９を介して固定片１８の下面側に組み付けられることで、前記した隙間Ｓが閉鎖される一方、ネジねじ部材１９の取り外しにより、仕切り部材１５が固定片１８から外されることで、前記した隙間Ｓが開放されるようにしている。
【００１３】
以上の構成からなる空調用室内機1は、通常、仕切り部材１５がネジ部材１９を介して固定片１８に組み付けられて、隙間Ｓが閉鎖されているので、室内機１の運転時に本体ケーシング１０内における熱交換器７の上流側空間と下流側空間とが不用意に短絡するようなことがなく、従って室内機１の運転に支障がない。
一方、本体ケーシング１０内の洗浄を行う際には、ネジ部材１９の取り外しにより、仕切り部材１５を図5に示すように取り外して、隙間Ｓを開放する。
【００１４】
そして例えば中央の開口パネル５ｂを外して、熱交換器7の上流側から本体ケーシング１０内の洗浄を行なうに伴い、熱交換器７等に付着していたゴミは、熱交換器７の下流側の空間内の背板４と熱交換器７の下端部との間のコーナー部位から隙間Ｓを通って熱交換器７の上流側に流れて、ドレンパン１３に回収される。
また本体ケーシング１０の開口パネル５ａを取り外して、本体ケーシング１０内における熱交換器７の下流側の空間から本体ケーシング１０内を洗浄する場合においても、熱交換器７等に付着していたゴミは、熱交換器７の下流側の空間内の背板４と熱交換器７の下端部との間のコーナー部位から隙間Ｓを通って熱交換器７の上流側に流れて、ドレンパン１３に回収される。
従って、以上の空調用室内機１にあっては、洗い流されたゴミが従来のように背板４と熱交換器７に挟まれたコーナー部位に溜まることがないので、本体ケーシング１０内を清潔に保つことが出来る。
【００１５】
実施の形態２．
以上の実施形態１では、仕切り部材１５を取り外して、隙間Ｓを開放するようにしたが、例えば、図６〜図８に示すように  仕切り部材１５０を回動可能に設け、この仕切り部材１５０の回動により隙間Ｓを開閉するようにしてもよい。
即ち、図７にも示すように、仕切り部材１５０が支持板１６にヒンジ部材１６ａを介して揺動可能に支持されている。そしてこの仕切り部材１５０は、隙間Ｓを閉鎖する回動位置において背板４の内側面に組みつけられた固定ブラケット２０にネジ部材１９を介して固定される一方、ネジ部材１９の取り外しにより、図８に示すように、その自重により隙間Ｓを開放する位置まで回動するようにしている。
【００１６】
実施の形態３．
図９〜図１１に示す実施形態では、仕切り部材１５１がスライド可能に設けられて、この仕切り部材のスライド操作により、隙間Ｓを開閉するようにしている。
即ち、支持板１６にスライド用のガイド溝２１を備えたガイド部材２２を一体形成して、このガイド溝２１内に仕切り部材１５１を嵌めて、仕切り部材１５１がガイド溝２１を介して背板４の内側面に対して近接する方向及び離間する方向にスライド可能と成し、近接方向へのスライドにより隙間Ｓを閉じる一方、離間方向へのスライドにより隙間Ｓを開くようにしている。
尚、以上の仕切り部材１５１には、スライド操作し易くするために、図１０にも示すように、指を引っ掛けるための溝１５１ａを設けるのが好ましい。
【００１７】
実施の形態４．
図１２、図１３に示す実施形態では、仕切り部材１５２の長さ方向中間部位を分割して、左右の仕切り部材本体１５２ａ，１５２ｂと、分割された中間部位の分割仕切り部材１５２ｃとから構成し、分割仕切り部材１５２ｃの長さ方向両端部を左右の仕切り部材本体１５２ａ，１５２ｂにネジ部材（図示せず）を介して連結することで、これら左右の仕切り部材本体１５２ａ，１５２ｂ及び分割仕切り部材１５２ｃにより隙間Ｓを閉鎖する一方、分割仕切り部材１５２ｃを左右の仕切り部材本体１５２ａ，１５２ｂから取り外すことで、隙間Ｓの長さ方向中間部位のみを開放するようにしたものである。
斯くして、分割仕切り部材１５２ｃを取り外すことで、洗い流されたゴミはドレンパン１３の一箇所に集まるため、ドレンパン１３に落下したゴミの取り除き作業が容易となる。
尚、以上の実施形態では、分割仕切り部材１５２ｃを左右の仕切り部材本体１５２ａ，１５２ｂから取り外せるようにしたが、この分割仕切り部材１５２ｃを左右の仕切り部材本体１５２ａ，１５２ｂに対して回動可能に取り付けるかスライド可能に取り付けることで、隙間Ｓの長さ方向中間部位のみを開閉するようにしてもよい。
尚、分割仕切り部材１５２ｃは複数備えてもよい。
【００１８】
実施の形態５．
また図１４〜図１６に示す実施形態では、仕切り部材１５３にはその長さ方向一端から他端に向かうに従って斜め下方に傾斜する傾斜溝１５４が形成されると共に、この仕切り部材１５３を、長さ方向一端側の仕切り部材本体１５３ａと長さ方向他端側の分割しきり部材１５３ｂとに分割して、これら仕切り部材本体１５３ａ及び分割仕切り部材１５３ｂを、支持板１６から延びる固定片１８０にネジ部材１９により組み付けることで、隙間Ｓを閉鎖する一方、分割仕切り部材１５３ｂを固定片１８０から取り外すことで、隙間Ｓの長さ方向一端部を開放するようにしてもよい。
【００１９】
以上のように仕切り部材１５３に傾斜溝１５４が形成されることで、本体ケーシング１０内の洗浄に際して、傾斜溝１５４内において洗浄水とともにゴミをスムーズに流して、ドレンパン１３の定められた箇所に確実に集めることが出来る。
【００２０】
実施の形態６．
また図１７〜図１９に示す実施形態では、仕切り部材１５５に、長さ方向両端から長さ方向中間部位に向かうに従って斜め下方に傾斜する回収溝１５６が設けられて、この回収溝１５６の底壁１５７の長さ方向中間部には貫通孔１５７ａが形成されている。
そして底壁１５７には、貫通孔１５７ａを開閉するための開閉板１５８が設けられると共に、底壁１５７の下面側には、貫通孔１５７ａから洗浄水とともに流下するゴミを捕捉するためのボックス形状の捕捉部材１５９がネジ部材（図示せず）を介して取り付けられ、この捕捉部１５９には水抜き孔１５９ａが形成されている。
尚、この水抜き孔１５９ａは複数設けてもよいし１つだけ設けてもよい。
【００２１】
以上のように、捕捉部１５９を備えた仕切り部材１５５を用いることで、本体ケーシング１０内の洗浄時には、開閉板１５８を取り外して貫通孔１５７ａを介して隙間Ｓを開放した上で、洗浄作業を行なうと、洗浄に伴う洗浄水は水抜き孔１５９ａからドレンパン１３へ流れ落ちて、ゴミだけを捕捉部１５９内に溜めることが可能であって、従って、洗浄作業後、捕捉部１５９を仕切り部材１５５から取り外すことで、捕捉したゴミの処理が簡単且つ容易に行なえる。
【符号の説明】
【００２２】
１  空調用室内機
２ａ  側板
２ｂ  側板
３  天板
４  背板
６  底板
７  熱交換器
８  送風ファン
１５  仕切り部材
Ｓ 隙間
【図１】
2011106715.tif 000003
【図２】
2011106715.tif 000004
【図３】
2011106715.tif 000005
【図４】
2011106715.tif 000006
【図５】
2011106715.tif 000007
【図６】
2011106715.tif 000008
【図７】
2011106715.tif 000009
【図８】
2011106715.tif 000010
【図９】
2011106715.tif 000011
【図１０】
2011106715.tif 000012
【図１１】
2011106715.tif 000013
【図１２】
2011106715.tif 000014
【図１３】
2011106715.tif 000015
【図１４】
2011106715.tif 000016
【図１５】
2011106715.tif 000017
【図１６】
2011106715.tif 000018
【図１７】
2011106715.tif 000019
【図１８】
2011106715.tif 000020
【図１９】
2011106715.tif 000021